(57)【要約】【課題】ワイヤハーネスを接続箱本体に確実に固定でき、内部に水などの液体が浸入しにくくすることができる電気接続箱を提供する。【解決手段】電気接続箱１は接続箱本体２とハーネス固定部１８を備えている。接続箱本体２は箱本体４とロアカバー５を備えている。箱本体４とロアカバー５とは互いに取り付けられる。電気接続箱１は箱本体４とロアカバー５との間を通してワイヤハーネス９の端末が内部に導かれる。ハーネス固定部１８は切欠き１９と弾性片２０とを備えている。切欠き１９はロアカバー５の箱本体４寄りの縁に設けられワイヤハーネス９が通される。弾性片２０はロアカバー５の外壁１０に沿って形成され切欠き１９の内縁に連なっている。弾性片２０は切欠き１９を塞ぐ方向に付勢されている。【選択図】図２
2006149165.tif 000002
【特許請求の範囲】
【請求項１】
第１の箱体と、該第１の箱体に取り付けられる第２の箱体と、を有した接続箱本体を備え、
前記第１の箱体と前記第２の箱体との間を通してワイヤハーネスの端末が前記接続箱本体内に導かれる電気接続箱であって、
前記第１の箱体と前記第２の箱体のうち一方に設けられ、前記ワイヤハーネスを通して該ワイヤハーネスを前記接続箱本体に導く切欠きと、
前記第１の箱体と前記第２の箱体のうち一方に設けられ、前記切欠きを塞ぐ方向に付勢されているとともに、前記切欠き内に通されたワイヤハーネスと当接して該ワイヤハーネスを前記接続箱本体の内側に向かって付勢する弾性片と、
を備えたことを特徴とする電気接続箱。
【請求項２】
前記弾性片が、前記第１の箱体と前記第２の箱体のうち一方の外壁に一体に形成されていることを特徴とする請求項１記載の電気接続箱。
【請求項３】
前記第１の箱体と前記第２の箱体のうち他方に設けられ、前記切欠き内に前記ワイヤハーネスを導くハーネスガイドを備えたことを特徴とする請求項１または請求項２記載の電気接続箱。
【請求項４】
前記ハーネスガイドが、前記第１の箱体と前記第２の箱体のうち他方と一体に形成されていることを特徴とする請求項３記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力や所望の信号を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する接続箱本体と、配線盤とを備えている。接続箱本体は、前述したリレー、ヒューズやヒュージブルリンクなどの電気部品が装着されるとともに、前述した自動車に配索されるワイヤハーネスのコネクタが嵌合する。
【０００６】
ワイヤハーネスは、複数の電線と、該電線の端部などに取り付けられたコネクタとを備えている。コネクタは、前述した自動車に搭載される各種の電子機器や前述した箱本体に嵌合する。配線盤は、前述した各種の電気部品と、ワイヤハーネスのコネクタの端子とを予め定められたパターンにしたがって接続するバスバなどを備えている。
【０００７】
前述した電気接続箱は、接続箱本体内に配線盤を収容し、該接続箱本体に所望の電気部品を装着し、さらに接続箱本体内にワイヤハーネスのコネクタを嵌合させる。こうして、前述した電気接続箱が組み立てられる。そして、電気接続箱は、電源などから供給される電源からの電力や各種の信号を、ヒュージブルリンクなどの電気部品、ワイヤハーネスの電線などを介して、自動車に搭載される前述した各種の電子機器に供給する。
【発明の開示】
【発明が解決しようとする課題】
【０００８】
前述した電気接続箱は、前述した接続箱本体が互いに着脱自在な例えば二つの箱体に分割され、前述したワイヤハーネスの端末が前述した箱本体間を通して前記接続箱本体内に導かれて前述した配線盤のバスバなどと接続することが考えられる。この場合、ワイヤハーネスの端末を接続箱本体に導くために、前述した箱体に切欠きを設けたり、前述したワイヤハーネスを接続箱本体内に案内するするために、前述した箱体にワイヤハーネスを覆うカバーなどを設ける必要が生じる。
【０００９】
また、前述した電気接続箱は、多種多様な車種の自動車に搭載されることが考えられる。このため、自動車の車種が異なると前述したワイヤハーネスを構成する電線の本数が異なることが考えられる。即ち、自動車の車種が異なると前述したワイヤハーネスの太さが異なることが考えられる。
【００１０】
このため、前述したカバーを最も太いワイヤハーネスの外径に対応させる必要が生じるため、該カバー内に細いワイヤハーネスを通すと、該細いワイヤハーネスとカバーとの間にガタ（隙間）が生じる。この場合、細いワイヤハーネスが、カバー内で移動して、該細いワイヤハーネスと箱体などが接触と離間を繰り返して、細いワイヤハーネスが破損する虞が考えられる。
【００１１】
また、前述したカバー内に細いワイヤハーネスを通すと、カバーと細いワイヤハーネスとの間に隙間が生じて、該隙間を通して、接続箱本体内に水などの液体が侵入し易くなり望ましくない。
【００１２】
したがって、本発明の目的は、箱体間を通して内部にワイヤハーネスの端末を導く電気接続箱において、ワイヤハーネスを接続箱本体に確実に固定でき、内部に水などの液体が浸入しにくくすることができる電気接続箱を提供することにある。
【課題を解決するための手段】
【００１３】
前記課題を解決し目的を達成するために、請求項１に記載の本発明の電気接続箱は、第１の箱体と、該第１の箱体に取り付けられる第２の箱体と、を有した接続箱本体を備え、前記第１の箱体と前記第２の箱体との間を通してワイヤハーネスの端末が前記接続箱本体内に導かれる電気接続箱であって、前記第１の箱体と前記第２の箱体のうち一方に設けられ、前記ワイヤハーネスを通して該ワイヤハーネスを前記接続箱本体に導く切欠きと、前記第１の箱体と前記第２の箱体のうち一方に設けられ、前記切欠きを塞ぐ方向に付勢されているとともに、前記切欠き内に通されたワイヤハーネスと当接して該ワイヤハーネスを前記接続箱本体の内側に向かって付勢する弾性片と、を備えたことを特徴としている。
【００１４】
請求項２に記載の本発明の電気接続箱は、請求項１記載の電気接続箱において、前記弾性片が、前記第１の箱体と前記第２の箱体のうち一方の外壁に一体に形成されていることを特徴としている。
【００１５】
請求項３に記載の本発明の電気接続箱は、請求項１又は請求項２記載の電気接続箱において、前記第１の箱体と前記第２の箱体のうち他方に設けられ、前記切欠き内に前記ワイヤハーネスを導くハーネスガイドを備えたことを特徴としている。
【００１６】
請求項４に記載の本発明の電気接続箱は、請求項３記載の電気接続箱において、前記ハーネスガイドが、前記第１の箱体と前記第２の箱体のうち他方と一体に形成されていることを特徴としている。
【００１７】
請求項１に記載した本発明の電気接続箱によれば、弾性片がワイヤハーネスを接続箱本体の内側に付勢するので、該ワイヤハーネスを接続箱本体に確実に固定できる。また、弾性片が切欠きを塞ぐ方向に付勢されているので、切欠きが、ワイヤハーネスを通す最小限の大きさでしか開口しない。
【００１８】
また、弾性片が、切欠きを塞ぐ方向に付勢されているので、様々な太さのワイヤハーネスを接続箱本体の内側に向かって確実に付勢できる。
【００１９】
請求項２に記載した本発明の電気接続箱によれば、弾性片が第１の箱体と第２の箱体とのうち一方と一体であるので、部品点数が増加することを防止できる。
【００２０】
請求項３に記載した本発明の電気接続箱によれば、ハーネスガイドが設けられているので、接続箱本体にワイヤハーネスを位置決めすることができる。
【００２１】
請求項４に記載した本発明の電気接続箱によれば、ハーネスガイドが第１の箱体と第２の箱体とのうち他方と一体であるので、部品点数が増加することを防止できる。
【発明の効果】
【００２２】
以上説明したように請求項１に記載の本発明は、ワイヤハーネスを接続箱本体に確実に固定できる。また、切欠きが、ワイヤハーネスを通す最小限の大きさでしか開口しないので、接続箱本体内に水などの液体が浸入しにくくなる。
【００２３】
また、弾性片が、切欠きを塞ぐ方向に付勢されているので、様々な太さのワイヤハーネスを接続箱本体の内側に向かって確実に付勢でき、様々な太さのワイヤハーネスを接続箱本体に確実に固定できる。
【００２４】
請求項２に記載の本発明は、部品点数が増加することを防止できるので、コストの高騰を抑制できる。
【００２５】
請求項３に記載の本発明は、接続箱本体にワイヤハーネスを位置決めすることができるので、該ワイヤハーネスを接続箱本体により確実に固定できる。
【００２６】
請求項４に記載の本発明は、部品点数が増加することを防止できるので、コストの高騰を抑制できる。
【発明を実施するための最良の形態】
【００２７】
以下、本発明の一実施形態にかかる電気接続箱を、図１ないし図７に基づいて説明する。
【００２８】
本実施形態にかかる図１に示す電気接続箱１は、移動体としての自動車に搭載される。電気接続箱１は、図１及び図２に示すように、接続箱本体２と、図示しない配線盤と、ハーネスガイドとしてのプロテクタ３などを備えている。接続箱本体２は、第１の箱体としての箱本体４と、第２の箱体としてのロアカバー５と、を備えている。箱本体４は、絶縁性の合成樹脂からなり、周知の射出成形により成形される。箱本体４は、複数の外壁６により、筒状（箱状）に形成されている。
【００２９】
また、箱本体４の図１の上方に位置する上面４ａには、リレー７及びヒュージブルリンク８などの電気部品が装着される装着部が複数設けられている。
【００３０】
また、箱本体４の図１の下方に位置する下面４ｂには、前述した自動車に配索されるワイヤハーネス９（図１中に二点鎖線で示し、図２中に一点鎖線で示す）のコネクタが嵌合する。ワイヤハーネス９は、複数の電線と、該電線の端末などに取り付けられたコネクタとを備えている。コネクタは、前述した自動車に搭載される各種の電子機器や、前述した箱本体４に嵌合する。
【００３１】
前述したワイヤハーネス９は、プロテクタ３内に収容されて、箱本体４とロアカバー５との間まで導かれた後、後述する切欠き１９内に通されて、接続箱本体２内に前述したコネクタなどが導かれる。そして、ワイヤハーネス９は、コネクタが前述した箱本体４の下面４ｂに嵌合する。こうして、ワイヤハーネス９は、箱本体４とロアカバー５との間を通されて、コネクタが取り付けられた端末が前述した接続箱本体２内に導かれる。
【００３２】
ロアカバー５は、絶縁性の合成樹脂などからなり、周知の射出成形により成形される。ロアカバー５は、互いに連なる複数の外壁１０を備えて、有底筒状に形成されている。前述した箱本体４の外壁６と、このロアカバー５の外壁１０とには、互いに係止する係止部１１，１２が設けられている。ロアカバー５は、係止部１１，１２同士が係止して、箱本体４の前述したワイヤハーネス９のコネクタが嵌合する下面４ｂを覆うように、箱本体４に取り付けられる。
【００３３】
箱本体４とロアカバー５とが互いに組み付けられる際には、これらの箱本体４とロアカバー５とは前述した装着部が設けられた箱本体４の上面４ａ及びワイヤハーネス９のコネクタが嵌合する下面４ｂに対し直交する矢印Ｋに沿って、互いに近づけられる。なお、矢印Ｋは、箱本体４とロアカバー５とが互いに近づく方向をなしている。
【００３４】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００３５】
配線盤は、箱本体４内に収容される。配線盤は、箱本体４内に収容されると、バスバがワイヤハーネス９のコネクタと、装着部に装着されたリレー７及びヒュージブルリンク８などの電気部品とを予め定められたパターンにしたがって、互いに電気的に接続する。
【００３６】
プロテクタ３は、絶縁性の合成樹脂からなり、プロテクタ本体１３と、複数のバンドガイド１４とを一体に備えている。
【００３７】
プロテクタ本体１３は、樋状に形成されかつ内側に前述したワイヤハーネス９を収容する。プロテクタ本体１３は、ワイヤハーネス９を収容すると、その長手方向がワイヤハーネス９の長手方向と平行になる。プロテクタ本体１３は、図示例では、ワイヤハーネス９の長手方向に交差する方向の断面形状が、円弧状に形成されている。
【００３８】
また、プロテクタ本体１３は、その長手方向の一端が箱本体４に連なっている。則ち、プロテクタ３は、箱本体４と一体に形成されている。プロテクタ本体１３は、箱本体４の隅から該箱本体４の外側に向かって延在している。
【００３９】
バンドガイド１４は、プロテクタ本体１３の長手方向の両端と中央部にそれぞれ三つずつずつ設けられている。バンドガイド１４は、プロテクタ本体１３の長手方向の両端と中央部のそれぞれにおいて、プロテクタ本体１３の周方向の両端と周方向の中央に設けられている。それぞれのバンドガイド１４は、一対の立設片１５と、一つの連結片１６とを一体に備えている。
【００４０】
一対の立設片１５は、プロテクタ本体１３の外周面から該プロテクタ本体１３の外周方向に立設している。一対の立設片１５は、プロテクタ本体１３の長手方向に沿って、互いに間隔をあけて配されている。一対の立設片１５間の間隔は、プロテクタ本体１３即ちプロテクタ３にワイヤハーネス９を結束するバンド１７（図２中に二点鎖線で示す）の幅に応じた値になっている。連結片１６は、一対の立設片１５のプロテクタ本体１３の外周面から離れた側の端を互いに連結している。
【００４１】
バンドガイド１４は、一対の立設片１５と連結片１６とを備えてコ字状に形成されている。バンドガイド１４は、内側（則ち一対の立設片１５間でかつプロテクタ本体１３の外周面と連結片１６との間）に、前述したバンド１７を通すことができる。
【００４２】
前述した構成のプロテクタ３は、プロテクタ本体１３と該プロテクタ本体１３内のワイヤハーネス９とをバンド１７で結束する。そして、プロテクタ本体１３の一端が箱本体４に連なりかつ該箱本体４の隅から外方向に延在しているので、プロテクタ３は、該ワイヤハーネス９を後述する切欠き１９内に導く。
【００４３】
また、前述した電気接続箱１は、前述したワイヤハーネス９を接続箱本体２に固定するハーネス固定部１８を備えている。ハーネス固定部１８は、図３及び図４に示すように、ロアカバー５に設けられた切欠き１９と、弾性片２０と、を備えている。
【００４４】
切欠き１９は、ロアカバー５の一つの隙部に設けられ、互いに連なりかつ前述した矢印Ｋに沿ってプロテクタ７と並べられる二つの外壁１０に設けられている。切欠き１９は、前述した外壁１０の箱本体４寄りの縁部に設けられている。切欠き１９は、勿論、前述した外壁１０を切り欠いて、該外壁１０を貫通している。即ち、切欠き１９は、ロアカバー５即ち接続箱本体２の内外を連通している。
【００４５】
弾性片２０は、前述した切欠き１９が設けられたロアカバー５の隅部の外形に沿った板状に形成されている。弾性片２０は、切欠き１９の矢印Ｋと平行な一つの内縁に外縁が連なっている。弾性片２０は、切欠き１９の内縁に連なる外縁を中心として回転するように、弾性変形自在となっている。
【００４６】
弾性片２０は、前述した外縁を中心として回転することで、前述した切欠き１９を開閉する。また、弾性片２０は、弾性変形していない中立状態で両表面が切欠き１９が設けられた外壁１０と略平行になり、かつ切欠き１９が設けられた外壁１０より外側に位置する。また、中立状態では、弾性片２０と切欠き１９が設けられた外壁１０との間の隙間は、殆どない（非常に狭い）。
【００４７】
また、弾性片２０は、図５ないし図７に示すように、ロアカバー５即ち接続箱本体２の外側に位置するように、前述した外縁を中心として回転されると、前述した切欠き１９を塞ぐ方向（図５ないし図７中の矢印Ｈ）の弾性復元力を生じる。この矢印Ｈは、本発明の切欠き１９を塞ぐ方向をなしている。このため、弾性片２０は、自身の弾性復元力によって、常に前述した中立状態に向かって付勢されている。
【００４８】
即ち、弾性片２０は、自身の弾性復元力によって、矢印Ｈに沿って常に切欠き１９を塞ぐ方向に付勢されている。また、前記切欠き１９内にワイヤハーネス９が通されると、弾性片２０は、前述した弾性復元力により、該ワイヤハーネス９を前記外壁１０即ち接続箱本体２のロアカバー５の内側に向かって付勢する。また、弾性片２０は、前述したワイヤハーネス９の外径に応じた距離、前述した外壁１０から離れて、該ワイヤハーネス９の外径に応じた復元力で該ワイヤハーネス９を付勢する。このように、弾性片２０と切欠き１９とワイヤハーネス９とは、互いに密に接触する。
【００４９】
前述した電気接続箱１は、以下のように組み立てられる。まず、箱本体４内に配線盤を収容し、箱本体４の上面２ａに設けられた装着部にヒュージブルリンク８やリレー７などの電気部品を装着する。
【００５０】
また、バンドガイド１４にバンド１７を挿入して、プロテクタ３の長手方向の両端と中央部にバンド１７を取り付ける。そして、箱本体４の下面４ｂにワイヤハーネス９のコネクタを嵌合させる。ワイヤハーネス９をプロテクタ本体１３内に収容し、前述したバンド１７で該ワイヤハーネス９をプロテクタ本体１３に結束する。
【００５１】
さらに、係止部１１，１２同士を互いに係止して、箱本体４とロアカバー５とを互いに取り付ける。すると、ワイヤハーネス９が切欠き１９内に侵入して、該ワイヤハーネス９により弾性片２０が押圧されて、弾性片２０がロアカバー５即ち接続箱本体２の外側に変位する。すると、弾性片２０が、ワイヤハーネス９を接続箱本体２の内側に向かって付勢する。
【００５２】
こうして、前述した電気接続箱１は、組み立てられて、自動車に搭載される。そして、電気接続箱１は、自動車の電子機器と、ヒュージブルリンク８やリレー７などの電気部品などとを、予め定められたパターンにしたがって、互いに電気的に接続する。
【００５３】
本実施形態によれば、弾性片２０がワイヤハーネス９を接続箱本体２の内側に付勢するので、該ワイヤハーネス９を接続箱本体２に確実に固定できる。また、弾性片２０が切欠き１９を塞ぐ方向に付勢されているので、切欠き１９と弾性片２０とワイヤハーネス９とが密に接触し、切欠き１９がワイヤハーネス９を通す最小限の大きさでしか開口しない。したがって、接続箱本体２内に水などの液体が浸入しにくくなる。
【００５４】
また、弾性片２０が、切欠き１９を塞ぐ方向Ｈに付勢されているので、様々な太さのワイヤハーネス９を接続箱本体２の内側に向かって確実に付勢でき、様々な太さのワイヤハーネス９を接続箱本体２に確実に固定できる。
【００５５】
弾性片２０がロアカバー５と一体であり、プロテクタ３が箱本体４と一体であるので、部品点数が増加することを防止できる。したがって、電気接続箱１の高騰を抑制できる。
【００５６】
プロテクタ３が設けられているので、接続箱本体２にワイヤハーネス９を位置決めすることができる。したがって、ワイヤハーネス９を接続箱本体２により確実に固定できる。
【００５７】
前述した実施形態では、ハーネス固定部１８即ち切欠き１９と弾性片２０をロアカバー５に設け、ハーネスガイドとしてのプロテクタ３を箱本体４に設けている。しかしながら、本発明では、図示しないが、ハーネス固定部１８即ち切欠き１９と弾性片２０を箱本体４に設け、ハーネスガイドとしてのプロテクタ３をロアカバー５に設けても良い。即ち、弾性片２０を箱本体４に一体に設け、プロテクタ３をロアカバー５に一体に設けても良い。さらに、切欠き１９と弾性片２０のうち一方を箱本体４に設け、他方をロアカバー５に設けても良い。
【００５８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５９】
【図１】本発明の一実施形態に係る電気接続箱の側面図である。
【図２】図１に示された電気接続箱の要部を拡大して示す斜視図である。
【図３】図２に示された電気接続箱のハーネス固定部の平面図である。
【図４】図３に示されたハーネス固定部を下方からみた斜視図である。
【図５】図２に示されたハーネス固定部がワイヤハーネスを固定した状態を示す平面図である。
【図６】図５に示されたハーネス固定部を上方からみた斜視図である。
【図７】図５に示されたハーネス固定部を下方からみた斜視図である。
【符号の説明】
【００６０】
１  電気接続箱
２  接続箱本体
３  プロテクタ（ハーネスガイド）
４  箱本体（第１の箱体）
５  ロアカバー（第２の箱体）
６  外壁
９  ワイヤハーネス
１０  外壁
１９  切欠き
２０  弾性片
Ｈ  切欠きを塞ぐ方向
【図１】
2006149165.tif 000003
【図２】
2006149165.tif 000004
【図３】
2006149165.tif 000005
【図４】
2006149165.tif 000006
【図５】
2006149165.tif 000007
【図６】
2006149165.tif 000008
【図７】
2006149165.tif 000009